(57)【要約】  無線通信システムの中で、共用および専用チャネルでシグナリング・メッセージを送受信するための技術が説明される。ユーザ機器（ＵＥ）は、共用チャネルで第１期間に第１シグナリング・メッセージを受信し、専用チャネルで第２期間に第２シグナリング・メッセージを受信し、共用チャネルで第３期間に第３シグナリング・メッセージを受信する。ＵＥは、すべての期間にトラヒックデータを共用チャネルで受信してもよい。ＵＥは第２期間に、ソースノードＢから目標ノードＢへハンドオーバされてもよい。ＵＥは、ソースノードＢを介して第１シグナリング・メッセージを受信し、ソースおよび目標ノードＢを介して第２シグナリング・メッセージを受信し、目標ノードＢを介して第３シグナリング・メッセージを受信する。
2010539860.tif 000002
【特許請求の範囲】
【請求項１】
無線通信システムでシグナリング・メッセージを送信する方法であって、
第１シグナリング・メッセージを第１期間に共用チャネルでユーザ機器（ＵＥ）に送信することと、
第２シグナリング・メッセージを、前記第１期間の後に続く第２期間に専用チャネルで前記ＵＥに送信することと、
第３シグナリング・メッセージを、前記第２期間の後に続く第３期間に前記共用チャネルで前記ＵＥに送信することと、
を備える方法。
【請求項２】
トラヒックデータを前記第１、第２および第３期間に、前記共用チャネルで前記ＵＥに送信することをさらに備える請求項１に記載の方法。
【請求項３】
前記第１シグナリング・メッセージを送信することが、前記第１シグナリング・メッセージを単一のノードＢを介して前記ＵＥに送信することを備え、前記第２シグナリング・メッセージを送信することが、前記第２シグナリング・メッセージを複数のノードＢを介して前記ＵＥに送信することを備え、前記第３シグナリング・メッセージを送信することが、前記第３シグナリング・メッセージを単一のノードＢを介して前記ＵＥに送信することを備える請求項１に記載の方法。
【請求項４】
トラヒックデータを前記第１、第２および第３期間に単一のノードＢを介して前記ＵＥに送信することをさらに備える請求項１に記載の方法。
【請求項５】
前記第２期間に、ソースノードＢから目標ノードＢへの前記ＵＥのハンドオーバを実行することをさらに備え、前記第１シグナリング・メッセージを送信することが、前記第１シグナリング・メッセージを、前記ソースノードＢを介して前記ＵＥに送信することを備え、前記第２シグナリング・メッセージを送信することが、前記第２シグナリング・メッセージを、前記ソースおよび目標ノードＢを介して前記ＵＥに送信することを備え、前記第３シグナリング・メッセージを送信することが、前記第３シグナリング・メッセージを、記目標ノードＢを介して前記ＵＥに送信することを備える請求項１に記載の方法。
【請求項６】
前記ハンドオーバの前に、前記専用チャネルを前記ＵＥに割り当てることと、
前記ハンドオーバの完了後に、前記専用チャネルを開放することと、
前記専用チャネルの解放後に、シグナリング・メッセージを前記ＵＥに送信するために前記共用チャネルを使用することをさらに備える請求項５に記載の方法。
【請求項７】
前記ＵＥのアクティブセットが単一のセルを含む場合、シグナリング・メッセージを前記ＵＥに送信するために前記共用チャネルが使用され、前記アクティブセットが複数のセルを含む場合、シグナリング・メッセージを前記ＵＥに送信するために前記専用チャネルが使用される請求項１に記載の方法。
【請求項８】
前記第２期間に、前記ＵＥのハンドオーバの前後にシグナリング・メッセージを前記ＵＥに送信するために前記共用チャネルが使用され、前記ハンドオーバの間にシグナリング・メッセージを前記ＵＥに送信するために前記専用チャネルが使用される請求項１に記載の方法。
【請求項９】
シグナリング・メッセージの所定のセットを送信するために、前記専用チャネルが使用され、所定のセットの中にはない残りのシグナリング・メッセージを送信するために、前記共用チャネルが使用される請求項１に記載の方法。
【請求項１０】
前記共用チャネルが十分に信頼できるとみなされる場合、シグナリング・メッセージを前記ＵＥに送信するために、前記共用チャネルが使用され、前記共用チャネルが十分には信頼できないとみなされる場合、シグナリング・メッセージを送信するために、前記専用チャネルが使用される請求項１に記載の方法。
【請求項１１】
前記共用チャネルが高速ダウンリンク共用チャネル（ＨＳ−ＤＳＣＨ）を備え、前記専用チャネルが専用チャネル（ＤＣＨ）備える請求項１に記載の方法。
【請求項１２】
前記第２シグナリング・メッセージが、無線リソース制御（ＲＲＣ）再設定メッセージを備える請求項１に記載の方法。
【請求項１３】
第１シグナリング・メッセージを第１期間に共用チャネルでユーザ機器（ＵＥ）に送信し、第２シグナリング・メッセージを、前記第１期間の後に続く第２期間に専用チャネルで前記ＵＥに送信し、第３シグナリング・メッセージを、前記第２期間の後に続く第３期間に前記共用チャネルで前記ＵＥに送信するように設定された少なくとも１つのプロセッサを備える無線通信のための装置。
【請求項１４】
前記少なくとも１つのプロセッサが、トラヒックデータを前記第１、第２および第３期間に前記共用チャネルで前記ＵＥに送信するように設定された請求項１３に記載の装置。
【請求項１５】
前記少なくとも１つのプロセッサが、前記第１シグナリング・メッセージを単一のノードＢを介して前記ＵＥに送信し、前記第２シグナリング・メッセージを複数のノードＢを介して前記ＵＥに送信し、前記第３シグナリング・メッセージを単一のノードＢを介して前記ＵＥに送信するように設定された請求項１３に記載の装置。
【請求項１６】
前記少なくとも１つのプロセッサが、トラヒックデータを前記第１、第２および第３期間に単一のノードＢを介して前記ＵＥに送信するように設定された請求項１３に記載の装置。
【請求項１７】
前記少なくとも１つのプロセッサが、前記第２期間に、ソースノードＢから目標ノードＢへの前記ＵＥのハンドオーバを実行し、前記第１シグナリング・メッセージを、前記ソースノードＢを介して前記ＵＥにし、前記第２シグナリング・メッセージを、前記ソースおよび目標ノードＢを介して前記ＵＥに送信し、前記第３シグナリング・メッセージを、前記目標ノードＢを介して前記ＵＥに送信するように設定された請求項１３に記載の装置。
【請求項１８】
前記少なくとも１つのプロセッサが、前記ハンドオーバの前に、前記専用チャネルを前記ＵＥに割り当て、前記ハンドオーバの完了後に、前記専用チャネルを開放し、前記専用チャネルの解放後に、シグナリング・メッセージを前記ＵＥに送信するために前記共用チャネルを使用するように設定された請求項１７に記載の装置。
【請求項１９】
無線通信システムでシグナリング・メッセージを送信する方法であって、
シグナリング・メッセージを共用チャネルでユーザ機器（ＵＥ）の第１グループに送信することと、
シグナリング・メッセージを専用チャネルでＵＥの第２グループに送信することと、
を備える方法。
【請求項２０】
単一のセルを有するアクティブセットを伴うＵＥを前記第１グループに配置し、複数のセルを有するアクティブセットを伴うＵＥを前記第２グループに配置することをさらに備える請求項１９に記載の方法。
【請求項２１】
前記第１グループがハンドオーバ中ではないＵＥを含み、前記第２グループがハンドオーバ中のＵＥを含む請求項１９に記載の方法。
【請求項２２】
トラヒックデータを前記共用チャネルでＵＥの前記第１および第２グループに送信することをさらに備える請求項１９に記載の方法。
【請求項２３】
前記シグナリング・メッセージを前記共用チャネルで送信することが、シグナリング・メッセージを前記共用チャネルで、単一のノードＢを介して前記第１グループの中の各ＵＥに送信することを備え、前記シグナリング・メッセージを前記専用チャネルで送信することが、シグナリング・メッセージを専用チャネルで、複数のノードＢを介して前記第２グループの中の各ＵＥに送信することを備える請求項１９に記載の方法。
【請求項２４】
無線通信システムでシグナリング・メッセージを受信する方法であって、
第１シグナリング・メッセージを共用チャネルで第１期間にユーザ機器（ＵＥ）で受信することと、
第２シグナリング・メッセージを専用チャネルで、前記第１期間の後に続く第２期間に前記ＵＥで受信することと、
第３シグナリング・メッセージを前記共用チャネルで、前記第２期間の後に続く第３期間に前記ＵＥで受信することと、
を備える方法。
【請求項２５】
トラヒックデータを前記共用チャネルで、前記第１、第２および第３期間に前記ＵＥで受信することをさらに備える請求項２４に記載の方法。
【請求項２６】
前記第１シグナリング・メッセージを受信することが、前記第１シグナリング・メッセージを単一のノードＢを介して受信することを備え、前記第２シグナリング・メッセージを受信することが、前記第２シグナリング・メッセージを複数のノードＢを介して受信することを備え、前記第３シグナリング・メッセージを受信することが、前記第３シグナリング・メッセージを単一のノードＢを介して受信することを備える請求項２４に記載の方法。
【請求項２７】
トラヒックデータを前記第１、第２および第３期間に単一のノードＢを介して受信することをさらに備える請求項２４に記載の方法。
【請求項２８】
前記第２期間に、ソースノードＢから目標ノードＢへのハンドオーバを実行することをさらに備え、前記第１シグナリング・メッセージを受信することが、前記第１シグナリング・メッセージを、前記ソースノードＢを介して受信することを備え、前記第２シグナリング・メッセージを受信することが、前記第２シグナリング・メッセージを、前記ソースおよび目標ノードＢを介して受信することを備え、前記第３シグナリング・メッセージを受信することが、前記第３シグナリング・メッセージを、前記目標ノードＢを介して受信することを備える請求項２４に記載の方法。
【請求項２９】
前記第２シグナリング・メッセージを受信することは、
各々ソースおよび目標ノードＢからの前記第２シグナリング・メッセージを備える第１および第２送信を受信することと、
各々前記ソースおよび目標ノードＢのためのシンボルを取得するために、前記第１および第２送信を処理することと、
前記ソースおよび目標ノードＢの前記シンボルを結合することと、
前記第２シグナリング・メッセージを回復するために、前記結合されたシンボルを処理することと、
を備える請求項２８に記載の方法。
【請求項３０】
第１シグナリング・メッセージを共用チャネルで、第１期間にユーザ機器（ＵＥ）で受信し、第２シグナリング・メッセージを専用チャネルで、前記第１期間の後に続く第２期間に前記ＵＥで受信し、第３シグナリング・メッセージを前記共用チャネルで、前記第２期間の後に続く第３期間に前記ＵＥで受信するように設定された少なくとも１つのプロセッサを備える無線通信のための装置。
【請求項３１】
前記少なくとも１つのプロセッサが、トラヒックデータを前記共用チャネルで、前記第１、第２および第３期間に前記ＵＥで受信するように設定された請求項３０に記載の装置。
【請求項３２】
前記少なくとも１つのプロセッサが、前記第１シグナリング・メッセージを単一のノードＢを介して受信し、前記第２シグナリング・メッセージを複数のノードＢを介して受信し、前記第３シグナリング・メッセージを単一のノードＢを介して受信するように設定された請求項３０に記載の装置。
【請求項３３】
前記少なくとも１つのプロセッサが、トラヒックデータを第１、第２および第３期間に単一のノードＢを介して受信するように設定された請求項３０に記載の装置。
【請求項３４】
前記少なくとも１つのプロセッサが、前記第２期間にソースノードＢから目標ノードＢへのハンドオーバを実行し、前記第１シグナリング・メッセージを、前記ソースノードＢを介して受信し、前記第２シグナリング・メッセージを、前記ソースおよび目標ノードＢを介して受信し、前記第３シグナリング・メッセージを、前記目標ノードＢを介して受信するように設定された請求項３０に記載の装置。
【請求項３５】
第１シグナリング・メッセージを共用チャネルで第１期間にユーザ機器（ＵＥ）で受信するための手段と、
第２シグナリング・メッセージを専用チャネルで、前記第１期間の後に続く第２期間に前記ＵＥで受信するための手段と、
第３シグナリング・メッセージを前記共用チャネルで、前記第２期間の後に続く第３期間に前記ＵＥで受信するための手段と、
を備える無線通信のための装置。
【請求項３６】
トラヒックデータを前記共用チャネルで前記第１、第２および第３期間に前記ＵＥで受信するための手段をさらに備える請求項３５に記載の装置。
【請求項３７】
前記第１シグナリング・メッセージを受信するための手段が、前記第１シグナリング・メッセージを単一のノードＢを介して受信するための手段を備え、前記第２シグナリング・メッセージを受信するための手段が、前記第２シグナリング・メッセージを複数のノードＢを介して受信するための手段を備え、前記第３シグナリング・メッセージを受信するための手段が、前記第３シグナリング・メッセージを単一のノードＢを介して受信するための手段を備える請求項３５に記載の装置。
【請求項３８】
トラヒックデータを前記第１、第２および第３期間に単一のノードＢを介して受信するための手段をさらに備える請求項３５に記載の装置。
【請求項３９】
前記第２期間に、ソースノードＢから目標ノードＢへの前記ＵＥのハンドオーバを実行するための手段をさらに備え、前記第１シグナリング・メッセージを受信するための手段が、前記第１シグナリング・メッセージを、前記ソースノードＢを介して受信するための手段を備え、前記第２シグナリング・メッセージを受信するための手段が、前記第２シグナリング・メッセージを、前記ソースおよび目標ノードＢを介して受信するための手段を備え、前記第３シグナリング・メッセージを受信するための手段が、前記第３シグナリング・メッセージを、前記目標ノードＢを介して受信するための手段を備える請求項３５に記載の装置
【請求項４０】
少なくとも１つのコンピュータに、第１シグナリング・メッセージを共用チャネルで第１期間にユーザ機器（ＵＥ）で受信させるための符号と、
前記少なくとも１つのコンピュータに、第２シグナリング・メッセージを専用チャネルで、前記第１期間の後に続く第２期間に前記ＵＥで受信させるための符号と、
前記少なくとも１つのコンピュータに、第３シグナリング・メッセージを前記共用チャネルで、前記第２期間の後に続く第３期間に前記ＵＥで受信させるための符号とを備えるコンピュータ可読媒体を備えるコンピュータプログラム製品。
【請求項４１】
前記コンピュータ可読媒体が、
前記少なくとも１つのコンピュータに、前記第２期間にソースノードＢから目標ノードＢへのハンドオーバを実行させるための符合と、
前記少なくとも１つのコンピュータに、前記第１シグナリング・メッセージを、前記ソースノードＢを介して受信させるための符号と、
前記少なくとも１つのコンピュータに、前記第２シグナリング・メッセージを、前記ソースおよび目標ノードＢを介して受信させるための符号と、
前記少なくとも１つのコンピュータに、前記第３シグナリング・メッセージを、前記目標ノードＢを介して受信させるための符号と、
をさらに備える請求項４０に記載のコンピュータプログラム製品。
【発明の詳細な説明】
【技術分野】
【０００１】
本出願は、本出願の譲受人に譲渡され、参照により本明細書に組み込まれている、２００７年９月１８日に出願した米国仮出願第６０／９７３，３７８号「ＭＥＴＨＯＤ  ＴＯ  ＥＮＡＢＬＥ  ＤＥＤＩＣＡＴＥＤ  ＶＳ．  ＨＳ  ＣＨＡＮＮＥＬ  ＦＯＲ  ＳＩＧＮＡＬＩＮＧ  ＳＲＢ’Ｓ  ＩＮ  ＨＳＰＡ  ＮＥＴＷＯＲＫＳ」の優先権を主張するものである。
【０００２】
本開示は一般に通信に関し、より詳細には無線通信システムでシグナリング・メッセージを送信するための技術に関する。
【背景技術】
【０００３】
無線通信システムは音声、画像、パケットデータ、メッセージング、ブロードキャスト等の様々な通信サービスを提供するために広く配備されている。これらのシステムは、利用可能なシステムリソースを共用することによって複数のユーザをサポートすることができる多元接続システムであってよい。そのような多元接続システムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システムおよび単一キャリアＦＤＭＡ（ＳＣ−ＦＤＭＡ）システムを含む。
【０００４】
無線通信システムの中で、ユーザ機器（ＵＥ）は、いかなる所定の時点にでも１つのノードＢとアクティブに通信することができる。ＵＥは移動体であってよく、第１ノードＢの範囲から外に出て、第２ノードＢの範囲内に移動してもよい。ＵＥは、第１ノードＢから第２ノードＢへのハンドオーバを実行するために、第１ノードＢおよび／または第２ノードＢを介してシグナリング・メッセージを交換してもよい。チャネル条件は、ハンドオーバの間に素早く変わってもよい。ハンドオーバがうまくいくことを確実にするために、信頼できる方法でシグナリング・メッセージを交換することが望ましいと思われる。
【発明の概要】
【０００５】
本明細書では、無線通信システムにおいて共用および専用チャネルでメッセージを送受信するための技術が説明される。共用チャネルは、複数のＵＥによって受信されるチャネルである。これらのＵＥのためのデータは、様々な多重化方式を用いて共用チャネルで多重化されてもよい。共用チャネルは単一のノードＢによってＵＥに送信されてもよく、このことによってリソース利用を改善することができる。専用チャネルは、単一のＵＥによって受信されるチャネルである。専用チャネルは複数のノードＢによってＵＥに送信されてもよく、このことによって信頼性を改善することができる。
【０００６】
１つの態様で、シグナリング・メッセージは、可能な場合には共用チャネルでＵＥに送信されてもよく、より大きな信頼性が望まれる場合には専用チャネルで送信されてもよい。１つの構成で、第１シグナリング・メッセージは、第１期間に共用チャネルでＵＥに送信されてもよい。第２シグナリング・メッセージは、第１期間の後に続く第２期間に、専用チャネルでＵＥに送信されてもよい。第３シグナリング・メッセージは、第２期間の後に続く第３期間に、共用チャネルでＵＥに送信されてもよい。トラヒックデータは、第１、第２および第３期間に共用チャネルでＵＥに送信されてもよい。１つの構成で、ＵＥは第２期間にソースノードＢから目標ノードＢへハンドオーバされてもよい。第１シグナリング・メッセージはソースノードＢを介してＵＥに送信されてもよい。第２シグナリング・メッセージは、ソースノードＢと目標ノードＢとの両方を介してＵＥに送信されてもよい。第３シグナリング・メッセージは、目標ノードＢを介してＵＥに送信されてもよい。専用チャネルはハンドオーバの前にＵＥに割り当てられてもよく、ハンドオーバの後に解放されてもよい。共用チャネルは、専用チャネルを開放した後、シグナリング・メッセージをＵＥに送信するために使用されてもよい。
【０００７】
共用または専用チャネルは、様々な基準に基づいてＵＥのために選択されてよい。１つの構成で、共用チャネルは、ＵＥのアクティブのセットが単一のセルを含む場合に選択されてもよく、専用チャネルは、このアクティブのセットが多数のセルを含む場合に選択されてもよい。別の構成で、共用チャネルはハンドオーバの前後に使用されてもよく、専用チャネルはハンドオーバの間に使用されてもよい。さらに別の構成で、専用チャネルは、より重要であるとみなされる特定のシグナリング・メッセージを送信するために使用されてもよく、共用チャネルは残りのシグナリング・メッセージを送信するために使用されてもよい。さらに別の構成で、共用チャネルは、十分に信頼できるとみなされる場合に選択されてもよく、専用チャネルは、そうではない場合に選択されてもよい。
【０００８】
以下で、本開示の様々な態様および特徴がより詳細に説明される。
【図面の簡単な説明】
【０００９】
【図１】無線通信システムを示す図。
【図２】シグナリングのためのＵＥでの例示的プロトコルスタックを示す図。
【図３】呼び出しの間にシグナリング・メッセージが共用チャネルで送信されるメッセージフロー図。
【図４】呼び出しの間にシグナリング・メッセージが共用および専用チャネルで送信されるメッセージフロー図。
【図５】シグナリング・メッセージをＵＥに送信するためのプロセス図。
【図６】シグナリング・メッセージを２つのＵＥグループに送信するためのプロセス図。
【図７】ＵＥによってシグナリング・メッセージを受信するためのプロセス図。
【図８】ＵＥ、２つのノードＢおよびＲＮＣのブロック図。
【発明を実施するための形態】
【００１０】
本明細書で説明される技術はＣＤＭＡ、ＴＤＭＡ、ＦＤＭＡ、ＯＦＤＭＡ、ＳＣ−ＦＤＭＡおよびその他システム等の様々な無線通信システムのために使用されてよい。「システム」および「ネットワーク」という用語は、しばしば取り替えられて使用される。ＣＤＭＡシステムは、ユニバーサル地上無線アクセス（ＵＴＲＡ）、ｃｄｍａ２０００等の無線技術を実装してもよい。ＵＴＲＡは、広帯域ＣＤＭＡ（ＷＣＤＭＡ）およびＣＤＭＡのその他の変形を含む。ｃｄｍａ２０００はＩＳ−２０００、ＩＳ−９５およびＩＳ−８５６規格を包含する。ＴＤＭＡシステムは、移動体通信のための広域システム（ＧＳＭ）等の無線技術を実装してもよい。ＯＦＤＭシステムは発展型ＵＴＲＡ（Ｅ−ＵＴＲＡ）、超移動体ブロードバンド（ＵＭＢ）、Ｆｌａｓｈ−ＯＦＤＭ（登録商標）等の無線技術を実装してもよい。ＵＴＲＡおよびＥ−ＵＴＲＡは、ユニバーサル移動体通信システム（ＵＭＴＳ）の一部である。第３世代長期的エボリューション（ＬＴＥ）は、Ｅ−ＵＴＲＡを使用した、やがて公開されるＵＭＴＳのリリースである。ＵＴＲＡ、Ｅ−ＵＴＲＡ、ＵＭＴＳ、ＬＴＥおよびＧＳＭは、「第３世代パートナーシップ・プロジェクト」（３ＧＰＰ）という組織の文書の中で説明されている。ｃｄｍａ２０００およびＵＭＢは「第３世代パートナーシッププロジェクト２」（３ＧＰＰ２）という組織の文書の中で説明されている。明快であるために、技術の特定の態様が以下でＷＣＤＭＡについて述べられており、以下の説明の中では３ＧＰＰ用語が多く使用されている。
【００１１】
図１は、ユニバーサル地上無線アクセスネットワーク（ＵＴＲＡＮ）１０２およびコアネットワーク１０４を含む無線通信システム１００を示す。ＵＴＲＡＮ１０２は、任意の数のノードＢおよびその他のネットワーク主体を含んでもよい。単純であるために、ＵＴＲＡＮ１０２について、図１の中では２つのノードＢ１２０および１２２、ならびに１つの無線ネットワーク・コントローラ（ＲＮＣ）のみが示されている。ノードＢはＵＥと通信する固定局であり、発展型ノードＢ（ｅＮＢ）、基地局、アクセスポイント等と呼ばれてもよい。各ノードＢは、特定の地理的エリアのために通信範囲を与える。ノードＢのカバーエリアは、複数（例えば３つ）のより小さなエリアに分割されてもよい。各々のより小さなエリアは各々のノードＢのサブシステムによってサービスを提供される。３ＧＰＰでは、「セル」という用語は、このカバーエリアにサービスを提供するノードＢおよび／またはノードＢサブシステムの最小カバーエリアのことを指してもよい。
【００１２】
ＲＮＣ１３０はノードＢ１２０および１２２に結合し、これらのノードＢに調整および制御を与える。ＲＮＣ１３０はまた、コアネットワーク１０４内のネットワーク主体と通信してもよい。コアネットワーク１０４は、ＵＥのために様々な機能およびサービスをサポートする様々なネットワーク主体を含んでもよい。
【００１３】
ＵＥ１１０は、ダウンリンクおよびアップリンクを介してノードＢ１２０および／またはノードＢ１２２と通信してもよい。ダウンリンク（または順方向リンク）とは、ノードＢからＵＥへの通信リンクのことを指し、アップリンク（または逆方向リンク）とは、ＵＥからノードＢへの通信リンクのことを指す。ＵＥ１１０は固定体または移動体であってよく、移動局、端末、アクセス端末、加入者装置、局等と呼ばれてもよい。ＵＥ１１０は携帯電話、携帯情報端末（ＰＤＡ）、無線モデム、無線通信デバイス、携帯デバイス、ラップトップコンピュータ、コードレス電話等であってよい。
【００１４】
図２は、ＷＣＤＭＡでのシグナリングのためのＵＥ１１０での例示的プロトコルスタック２００を示す。プロトコルスタック２００はネットワーク層（層３）、データリンク層（層２）および物理層（層１）を含む。シグナリングのために、層３は無線リソース制御（ＲＲＣ）を含み、層２は無線リンク制御（ＲＬＣ）および媒体アクセス制御（ＭＡＣ）を含む。
【００１５】
ＲＲＣは、ＵＥとＵＴＲＡＮとの間のトラヒックおよびシグナリンメッセージをサポートする機能層であるノンアクセスストラタム（Non Access Stratum）（ＮＡＳ）に情報転送サービスを提供する。ＲＲＣはまた、層１および２の設定を制御する役割を果たす。ＲＬＣはデータ伝送に信頼性を与え、データの自動再送（ＡＲＱ）を実行する。ＲＬＣでは、データは論理チャネルに属するものとして処理される。ＭＡＣは、（ｉ）チャネルを輸送するための論理チャネルのマッピングおよび／または多重化、および（ｉｉ）各輸送チャネルのためのデータ処理（例えばコーディング、インターリービングおよびレート整合等）などのいくつかの機能を実行する。物理層は、ＭＡＣからのデータ送信および高位層からのシグナリングのためのメカニズムを与える。物理層は、（ｉ）輸送チャネルの物理チャネルへのマッピング、（ｉｉ）各物理チャネルのためのデータ処理（例えば拡散およびスクランブリング等）、および（ｉｉｉ）物理チャネルの各セットの電力制御などのいくつかの機能を実行する。
【００１６】
ネットワーク側では、物理層はノードＢで終了され、ＲＲＣ、ＲＬＣおよびＭＡＣはＲＮＣで終了される。ＷＣＤＭＡのための様々なプロトコルは、公に入手可能な３ＧＰＰ  ＴＳ２５．３０１「Ｒａｄｉｏ  Ｉｎｔｅｒｆａｃｅ  Ｐｒｏｔｏｃｏｌ  Ａｒｃｈｉｔｅｃｔｕｒｅ」の中で説明されている。
【００１７】
３ＧＰＰリリース５およびそれ以降のものは、高速ダウンリンクパケットアクセス（ＨＳＤＰＡ）をサポートする。３ＧＰＰリリース６およびそれ以降のものは、高速アップリンクパケットアクセス（ＨＳＵＰＡ）をサポートする。３ＧＰＰリリース７およびそれ以降のものは、高速パケットアクセス（ＨＳＰＡ＋）をサポートする。ＨＳＤＰＡおよびＨＳＵＰＡは、それぞれダウンリンクおよびアップリンクでの高速パケットデータ伝送を可能にするチャネルおよび手順のセットである。ＨＳＤＰＡ＋は、ダウンリンクおよびアップリンクの両方に、さらなる改善を与える。
【００１８】
ＨＳＤＰＡのために、ノードＢは時間およびコードの両方で、すべてのＵＥによって共用されるダウンリンク輸送チャネルである高速ダウンリンク共用チャネル（ＨＳ−ＤＳＣＨ）でデータを送信してもよい。ＨＳ−ＤＳＣＨは、各伝送時間間隔（ＴＴＩ）で、１つまたは複数のＵＥのためにデータを運搬してもよい。ＷＣＤＭＡでは、１０ミリ秒（ｍｓ）の無線フレームは５つの２ｍｓのサブフレームに分割され、各サブフレームは３つのスロットを含み、各スロットは０．６６７ｍｓの長さを有する。ＨＳＤＰＡのために、ＴＴＩは１つのサブフレームと等しく、ＵＥがスケジュールされ、サービスを提供されることができる時間の最小単位である。ＨＳ−ＤＳＣＨの共用は、ＴＴＩからＴＴＩへ動的に変化してもよい。
【００１９】
表１には、ＷＣＤＭＡではいくつかの輸送チャネル（「Ｔ」と表示される）およびいくつかの物理チャネル（「Ｐ」と表示される）が挙げられ、各チャネルについての簡単な説明が示されている。
【表１】
2010539860.tif 000003
【００２０】
再び図１を参照すると、ＵＥ１１０は最初にノードＢ１２０と通信してもよい。ＵＥ１１０は移動体であってよく、ノードＢ１２０からノードＢ１２２へハンドオーバされてもよい。ハンドオーバのために、ノードＢ１２０はソースノードＢと呼ばれてもよく、またノードＢ１２２は目標ノードＢと呼ばれてもよい。ハンドオーバの後、ＵＥはノードＢ１２２と通信してもよい。ノードＢ１２０はハンドオーバの前のＵＥ１１０のためのサービング・ノードＢであってよく、ノードＢ１２２はハンドオーバの後のサービング・ノードＢであってよい。
【００２１】
図３は、ＷＣＤＭＡでノードＢ間のハンドオーバとともに呼び出しの間にシグナリング・メッセージが共用チャネルで送信される例示的メッセージフロー３００を示す。ＵＥ１１０は最初に呼び出しを確立してもよく、この呼び出しはボイスオーバインターネットプロトコル（ＶｏＩＰ）、パケットデータ等のためのものであってよい。ＵＥ１１０はソースノードＢ１２０と通信してもよく、ソースノードＢ１２０はＵＥのためにＲＮＣ１３０とデータを交換してもよい（ステップ１）。ＵＥ１１０は、異なるセルの信号強度を周期的に測定してもよい。ＵＥ１１０は、ソースノードＢ１２０の信号強度が十分に低く、目標ノードＢ１２２の信号強度が十分に高いということを判定してもよい。ＵＥ１１０は次いで検出された条件を示すために、イベント１ｄのためのＲＲＣシグナリング・メッセージを送信してもよい（ステップ２）。ＵＥ１１０は次いで、このＲＲＣシグナリング・メッセージをソースノードＢ１２０に送信してもよく、ソースノードＢ１２０はこのメッセージをＲＮＣ１３０へ転送してもよい。
【００２２】
ＲＮＣ１３０はＵＥ１１０からＲＲＣシグナリング・メッセージを受信してもよく、ＵＥ１１０からノードＢ１２２へハンドオーバする判定を行ってもよい（ステップ３）。ＲＮＣ１３０は、ＵＥ１１０のための新たな無線リンクの設定を要求するために、目標ノードＢ１２２へ無線リンク設定要求メッセージを送信してもよい（ステップ４）。目標ノードＢ１２２はＵＥ１１０のための新たな無線リンクを設定し（ステップ５）、新たな無線リンクでの送受信を開始して、ＲＮＣ１３０へ無線リンク設定確認メッセージを返送してもよい（ステップ６）。
【００２３】
ＲＮＣ１３０は、ＲＲＣ再設定メッセージを、ソースノードＢ１２０を介してＵＥ１１０に送信してもよい（ステップ７）。このＲＲＣ再設定メッセージは物理チャネル再設定メッセージ、無線ベアラ再設定メッセージ、輸送チャネル再設定メッセージ等であってもよい。ＲＲＣ再設定メッセージは、ＵＥのための新たな無線リンクに使用するための無線リソースを示してもよい。
【００２４】
ＲＲＣ再設定メッセージを受信すると、ＵＥ１１０はソースノードＢ１２０からの古い無線リンクの受信を終了してもよい。ＵＥ１１０は、目標ノードＢ１２２との層１同期を実行してもよく（ステップ８）、ＲＮＣ１３０との層２リンクを確立してもよい（ステップ９）。ＵＥ１１０は次いで、ＲＲＣ再設定完了メッセージを目標ノードＢ１２２に送信してもよく、目標ノードＢ１２２はこのメッセージをＲＮＣ１３０に転送してもよい（ステップ１０）。ＵＥ１１０はその後、目標ノードＢ１２２と通信してもよく、目標ノードＢ１２２はＵＥのためのデータをＲＮＣ１３０と交換してもよい（ステップ１４）。
【００２５】
ＵＥ１１０からＲＲＣ再設定完了メッセージを受信すると、ＲＮＣ１３０は無線リンク解放要求メッセージをソースノードＢ１２０に送信してもよい（ステップ１１）。ソースノードＢ１２０は、ＵＥ１１０のための古い無線リンクを解放してもよく（ステップ１２）、無線リンク解放確認メッセージをＲＮＣ１３０に返送してもよい（ステップ１３）。
【００２６】
図３は、ＷＣＤＭＡでのノードＢ間のハンドオーバのための例示的メッセージフローを示す。このメッセージフローの中で、ステップ１および１４はハンドオーバの前後の通常の通信のためのものであってよく、ステップ２から１３まではハンドオーバのためのものであってよい。ハンドオーバはまた、異なるメッセージの連続を利用してもよい別のメッセージフローに基づいて実行されてもよい。ＷＣＤＭＡでのハンドオーバは、両方とも公に入手可能な３ＧＰＰ  ＴＳ  ２５．３３１「Ｒａｄｉｏ  Ｒｅｓｏｕｒｃｅ  Ｃｏｎｔｒｏｌ（ＲＲＣ）；Ｐｒｏｔｏｃｏｌ  Ｓｐｅｃｉｉｃａｔｉｏｎ」および３ＧＰＰ  ＴＳ  ２５．３０３「Ｉｎｔｅｒｌａｙｅｒ  ｐｒｏｃｅｄｕｒｅ  ｉｎ  Ｃｏｎｎｅｃｔｅｄ  Ｍｏｄｅ」の中で説明されている。
【００２７】
図３で、ＵＥ１１０はハンドオーバの前にダウンリンクでＨＳＤＰＡを介して、ソースノードＢ１２０と通信してもよい。ソースノードＢ１２０は、ＨＳ−ＰＤＳＣＨ上で送信されてもよいＨＳ−ＤＳＣＨ上のデータとして、ＲＲＣ再設定メッセージを送信してもよい。ＨＳＤＰＡのために、ＨＳ−ＰＤＳＣＨはサービング・ノードＢのみから受信者ＵＥに送信される。ハンドオーバの間、サービング・ノードＢとＵＥとの間の無線リンクは劣化している場合があり、信頼できない可能性がある。その結果ＵＥは、ステップ７でハンドオーバの間にサービング・ノードＢによってＨＳ−ＰＤＳＣＨ上で送信されるＲＲＣ再設定メッセージを受信しない可能性がある。このことは、望ましくないハンドオーバの失敗および呼び出し損失につながる可能性がある。
【００２８】
１つの態様で、シグナリング・メッセージはハンドオーバの前後には共用チャネルで、ハンドオーバの間は専用チャネルで送信されてもよい。共用チャネルはサービング・ノードＢのみによって送信されてもよく、このことは無線リンクが比較的信頼できる可能性がある場合に、効率的なリソース利用につながる。専用チャネルはハンドオーバの間に、例えばソースノードＢと目標ノードＢとの両方など、複数のノードＢによって送信されてもよい。このことは、ハンドオーバの間に送信されるシグナリング・メッセージのために、信頼性が改善されることにつながる。共用および専用チャネルは輸送チャネルであってよく、それぞれＷＣＤＭＡの中のＨＳ−ＤＳＣＨおよびＤＣＨに対応していてもよい。共用および専用チャネルはまた物理チャネルであってもよく、それぞれＷＣＤＭＡの中のＨＳ−ＰＤＳＣＨおよびＤＰＤＣＨに対応していてもよい。共用および専用チャネルはまた、別のシステムの中のその他のチャネルであってもよい。
【００２９】
図４は、ＷＣＤＭＡでノードＢ間のハンドオーバとともに、呼び出しの間にシグナリング・メッセージが共用および専用チャネルで送信されるメッセージフロー４００の構成を示す。最初に、ＲＲＣシグナリング・メッセージのために共用チャネルを使用することが、ＵＥ１１０のために設定されてもよい（ステップＡ）。ステップＡは、呼び出しの開始時の呼び出し設定の間に実行されてもよい、および／または呼び出しの間にイベントによって起動されてもよい。ステップＡの後、チャネル設定が変更されるまで、ＲＲＣシグナリング・メッセージはＨＳＤＳＣＨおよびＨＳ−ＰＤＳＣＨで、サービング・ノードＢによってＵＥ１１０に送信されてもよい。ＵＥ１１０はソースノードＢ１２０と通信してもよく、ソースノードＢ１２０はＵＥのためのデータをＲＮＣ１３０と交換してもよい（ステップ１）。
【００３０】
ステップＡの後のある時点で、ＲＲＣシグナリング・メッセージのために専用チャネルを使用することが、ＵＥのために設定されてもよい（ステップＢ）。ステップＢは以下で説明されるように、イベントによって起動されてもよい。ステップＢの後、チャネル設定が変更されるまで、ＲＲＣシグナリング・メッセージはＤＣＨおよびＤＰＤＣＨで、複数のノードＢによってＵＥ１１０に送信されてもよい。
【００３１】
ＵＥ１１０は、異なる呼び出しの信号強度を周期的に測定してもよい。ソースノードＢ１２０については十分に低い信号強度を、また目標ノードＢ１２２については十分に高い信号強度を検出すると、ＵＥ１１０は、ソースノードＢ１２０を介してＲＮＣ１３０にイベント１ｄのためのＲＲＣシグナリング・メッセージを送信してもよい（ステップ２）。ＲＮＣ１３０は、ＵＥ１１０を目標ノードＢ１２２へハンドオーバする判定を行ってもよく（ステップ３）、無線リンク設定要求メッセージを目標ノードＢ１２２へ送信してもよい（ステップ４）。目標ノードＢ１２２はＵＥ１１０のために新たな無線リンクを設定してもよく（ステップ５）、無線リンク設定確認メッセージをＲＮＣ１３０へ返送してもよい（ステップ６）。
【００３２】
ＲＲＣシグナリング・メッセージのために専用チャネルを使用することがＵＥ１１０のために設定されることから、ＲＮＣ１３０はソースノードＢ１２０および目標ノードＢ１２２の両方にＲＲＣ再設定メッセージを送信してもよい（ステップ７ａおよび７ｂ）。ノードＢ１２０および１２２は、ＤＣＨおよびＤＰＤＣＨでＲＲＣ再設定メッセージをＵＥ１１０に送信してもよい。ＵＥ１１０はノードＢ１２０および１２２の両方からダウンリンク信号を受信して、ＤＰＤＣＨのためのシンボルを取得するために各ノードＢからのダウンリンク信号を処理し、ＤＰＤＣＨのために取得されたシンボルを両方のノードＢのために結合する。ＵＥ１１０はその後、ＲＲＣ再設定メッセージを回復するために結合されたシンボルを処理する。したがってＲＲＣ再設定メッセージは、ソフト・ハンドオーバを使用して複数のノードＢから送信されてもよく、このソフト・ハンドオーバによって、ＵＥ１１０はこれらのノードＢから受信されたダウンリンク送信を結合することができる。マクロダイバーシティの利点をとることによって、ＲＲＣ再設定メッセージのために改善された信頼性が得られることが可能である。
【００３３】
ノードＢ１２０および１２２の両方からＲＲＣ再設定メッセージを受信すると、ＵＥ１１０はソースノードＢ１２０からの古い無線リンクを終了して、目標ノードＢ１２２との層１同期を実行し（ステップ８）、ＲＮＣ１３０との層２リンクを確立してもよい（ステップ９）。ＵＥ１１０は次いでＲＲＣ再設定完了メッセージを目標ノードＢ１２２に送信してもよく、目標ノードＢ１２２はこのメッセージをＲＮＣ１３０へ転送してもよい（ステップ１０）。ＲＮＣ１３０は、無線リンク解放要求メッセージをソースノードＢ１２０に送信してもよい（ステップ１１）。ソースノードＢ１２０は、ＵＥ１１０のための古い無線リンクを解放してもよく（ステップ１２）、無線リンク解放確認メッセージをＲＮＣ１３０に返送してもよい（ステップ１３）。
【００３４】
ＲＲＣ再設定完了メッセージ送信後のある時点で、ＲＲＣシグナリング・メッセージのために共用チャネルを使用することが、ＵＥ１１０のために設定されてもよい（ステップＣ）。ステップＣは以下で説明されるように、イベントによって起動されてもよい。ステップＣの後、チャネル設定が変更されるまで、ＲＲＣシグナリング・メッセージはＨＳ−ＤＳＣＨおよびＨＳ−ＰＤＳＣＨで、サービング・ノードＢによってＵＥ１１０に送信されてもよい。ＵＥ１１０はまた目標ノードＢ１２２と通信してもよく、目標ノードＢ１２２はＵＥのためのデータをＲＮＣ１３０と交換してもよい（ステップ１４）。
【００３５】
シグナリング・メッセージのために共用チャネルまたは専用チャネルを使用することは、ＷＣＤＭＡの中のＲＮＣ１３０か、またはＬＴＥの中のｅＮＢであってもよい適切な主体によって、選択または設定されてもよい。１つの構成で、ＲＮＣ１３０または同等のネットワーク主体は、シグナリング・メッセージのために共用チャネルまたは専用チャネルを選択してもよい。別の構成で、ＵＥ１１０はシグナリング・メッセージのために共用チャネルまたは専用チャネルを選択してもよい。さらに別の構成で、ノードＢはＵＥにシグナリング・メッセージを共用チャネルで送信するのか、専用チャネルで送信するのかを判定してもよい。
【００３６】
シグナリング・メッセージのために共用チャネルまたは専用チャネルを使用することは、様々な方法で、様々な基準に基づいて選択されてもよい。１つの構成で、共用チャネルまたは専用チャネルを使用することは、ＵＥ１１０のアクティブセットの中のセルの数に基づいて選択されてもよい。このアクティブセットは、通信のために潜在的にＵＥにサービスを提供することができる１つまたは複数のセルを含んでもよい。セルは、その信号強度が追加閾値を上回る場合にはアクティブセットに追加され、その信号強度が除外閾値を下回る場合にはアクティブセットから除外されてもよい。ＨＳＤＰＡはダウンリンクでのソフト・ハンドオーバをサポートすることはなく、アクティブセットの中の１つのセルが、ＵＥのためのサービングセルとして選択されてもよい。
【００３７】
１つの構成で、ＵＥのアクティブセットが単一のセルを含む場合、シグナリング・メッセージを送信するために共用チャネルが使用されてもよい。シグナリング・メッセージは、この単一のセルを介してＵＥに送信されてもよい。アクティブセットが複数のセルを含む場合、シグナリング・メッセージを送信するために専用チャネルが使用されてもよい。シグナリング・メッセージは、アクティブセットの中のすべてのセルを介して、またはアクティブセットの中の所定の数のセル（例えば２つの最も強いセル）を介して、またはアクティブセットの中の特定の選択されたセルを介してＵＥに送信されてもよい。いずれの場合でも、この構成はシステムが（ｉ）アクティブセットの中に複数のセルが存在する場合に、ソフト・ハンドオーバの間にミクロダイバーシティを利用すること、および（ｉｉ）アクティブセットの中に１つのセルしか存在しない場合に、より効率的なオペレーションに切り替わることを可能にする。ノードＢは、アクティブセットが複数のセルを含む場合に、専用チャネルのための無線リソースをＵＥに割り当ててもよく、アクティブセットが１つのセルを含む場合に、専用チャネルのための無線リソースを解放してもよい。
【００３８】
別の構成で、専用チャネルはハンドオーバの間にシグナリング・メッセージを送信するために使用されてよく、共用チャネルはハンドオーバの前後にシグナリング・メッセージを送信するために使用されてよい。図４に示されているメッセージフローの中で、ハンドオーバは、ステップ２でＵＥによって送信されるＲＲＣシグナリング・メッセージによって起動されてもよい。このメッセージによって、専用チャネルがＵＥのために設定されてもよい。ハンドオーバの完了は、ステップ１０でＵＥによって送信されるＲＲＣ再設定完了メッセージによって示されてもよい。このメッセージによって、共用チャネルがＵＥのために設定されてもよい。ＲＮＣはＵＥからＲＲＣシグナリング・メッセージを受信してもよく、ＵＥのために共用チャネルを使用するのか、専用チャネルを使用するのかをノードＢに通知してもよい。
【００３９】
さらに別の構成で、シグナリング・メッセージのために共用チャネルまたは専用チャネルを使用することは、送信されるシグナリング・メッセージの種類に基づいて選択されてもよい。特定のシグナリング・メッセージはより重要であるとみなされてもよく、これらのメッセージのためにより大きな信頼性を得るために、専用チャネルで複数のノードＢを介して送信されてもよい。これらのより重要なシグナリング・メッセージは、ＷＣＤＭＡでの物理チャネル再設定、無線ベアラ再設定および輸送チャネル再設定メッセージ等のＲＲＣ再設定メッセージを含んでもよい。残りのシグナリング・メッセージは、共用チャネルでサービング・ノードＢを介して送信されてもよい。
【００４０】
さらに別の構成で、シグナリング・メッセージのために共用チャネルまたは専用チャネルを使用することは、共用チャネルの信頼性に基づいて選択されてもよい。共用チャネルは、例えばＵＥによって判定され、サービング・ノードＢに報告されるチャネル品質指標（ＣＱＩ）情報に基づいてそれが十分に信頼できるものであるとみなされる場合に、シグナリング・メッセージを送信するために使用されてもよい。専用チャネルは、共用チャネルが十分に信頼できるものではないとみなされる場合に、シグナリング・メッセージを送信するために使用されてもよい。
【００４１】
以上、シグナリング・メッセージのために共用チャネルまたは専用チャネルを選択するための複数の例示的構成が説明されてきた。シグナリング・メッセージのために共用チャネルまたは専用チャネルを使用することは、その他の基準に基づいて選択されてもよい。
【００４２】
シグナリング・メッセージのために共用チャネルまたは専用チャネルを使用することは、様々な方法で達成されてもよい。１つの構成で、ＲＮＣはシグナリング・メッセージのために共用チャネルを使用するのか、専用チャネルを使用するのかを示すためにメッセージをノードＢおよびＵＥに送信してもよい。別の構成で、ノードＢは、例えば上述のチャネル選択構成のうちの任意のものに基づいて、シグナリング・メッセージのために共用チャネルを使用するのか、専用チャネルを使用するのかを判定してもよい。ノードＢは、シグナリング・メッセージのために共用チャネルが使用されるのか、専用チャネルが使用されるのかを示すために、ＵＥにメッセージを送信してもよい。さらに別の構成で、ＵＥおよびノードＢは、所定のチャネル選択方式に基づいて、共用チャネルを使用するのか、専用チャネルを使用するのかを別々に判定してもよい。共用チャネルと専用チャネルとの間で切り替えを行うために、メッセージは必要とされなくてもよい。シグナリング・メッセージのために共用チャネルまたは専用チャネルを使用することはまた、その他の方法で達成されてもよい。
【００４３】
１つの構成で、ＲＮＣは（ｉ）ＵＥのために共用チャネルが選択される場合にはソースノードＢに、または（ｉｉ）ＵＥのために専用チャネルが選択される場合にはソースおよび目標ノードＢの両方にシグナリング・メッセージを送信してもよい。別の構成で、ＲＮＣはシグナリング・メッセージをソースノードＢに送信してもよく、ソースノードＢは、ＵＥのアクティブセットの中に複数のセルが存在する場合、これらのシグナリング・メッセージを別のノードＢに転送してもよい。ＵＥのためのシグナリング・メッセージは、その他の方法で影響を受けるネットワーク主体の間でルート設定されてもよい。
【００４４】
任意の所与の時点に、共用チャネルは第１のＵＥグループにシグナリング・メッセージを送信するために使用されてよく、専用チャネルは第２のＵＥグループにシグナリング・メッセージを送信するために使用されてよい。所与のＵＥは、上述のチャネル選択構成のうちの任意のものに基づいた第１および第２グループ間で移動してもよい。共用チャネルを使用することによって、第１のＵＥグループのために改善されたリソース利用が達成されることが可能である。マクロダイバーシティを通じて、第２のＵＥグループのために改善された信頼性が達成されることが可能である。両方のＵＥグループを同時にサポートする機能によって、システムは可能な場合には改善されたリソース利用を、必要な場合には改善された信頼性を達成することができる。
【００４５】
図５は、無線通信システムでシグナリング・メッセージを送信するためのプロセス５００の構成を示す。プロセス５００は、例えばＲＮＣおよび／またはノードＢなど、１つまたは複数のネットワーク主体によって実行されてもよい。
【００４６】
第１シグナリング・メッセージは、第１期間に共用チャネルでＵＥに送信されてもよい（ブロック５１２）。第２シグナリング・メッセージは、第１期間の後に続く第２期間に専用チャネルでＵＥに送信されてもよい（ブロック５１４）。第３シグナリング・メッセージは、第２期間の後に続く第３期間に、共用チャネルでＵＥに送信されてもよい（ブロック５１６）。トラヒックデータは、第１、第２および第３期間に、共用チャネルでＵＥに送信されてもよい（ブロック５１８）。１つの構成で、第１シグナリング・メッセージは単一のノードＢを介してＵＥに送信されてよく、第２シグナリング・メッセージは複数のノードＢを介してＵＥに送信されてよく、第３シグナリング・メッセージもまた単一のノードＢを介してＵＥに送信されてよい。トラヒックデータは、単一のノードＢを介してＵＥに送信されてよい。
【００４７】
１つの構成で、ソースノードＢから目標ノードＢへのＵＥのハンドオーバは、第２期間に実行されてもよい。第１シグナリング・メッセージは、ソースノードＢを介してＵＥに送信されてもよい。第２シグナリング・メッセージは、目標ノードＢを介してＵＥに送信されてもよい。第３シグナリング・メッセージは、目標ノードＢを介してＵＥに送信されてもよい。専用チャネルはハンドオーバの前にＵＥに割り当てられてもよく、ハンドオーバの完了後に解放されてもよい。共用チャネルは専用チャネルの解放後、シグナリング・メッセージをＵＥに送信するために使用されてもよい。
【００４８】
１つの構成で、共用チャネルは、ＵＥのアクティブセットが単一のセルを含む場合にシグナリング・メッセージをＵＥに送信するために使用されてよく、専用チャネルは、アクティブセットが複数のセルを含む場合にシグナリング・メッセージをＵＥに送信するために使用されてよい。別の構成で、共用チャネルはハンドオーバの前後にシグナリング・メッセージをＵＥに送信するために使用されてよく、専用チャネルはハンドオーバの間にシグナリング・メッセージをＵＥに送信するために使用されてよい。さらに別の構成で、専用チャネルは所定のシグナリング・メッセージのセットを送信するために使用されてよく、共用チャネルは残りのシグナリング・メッセージ（例えば再設定メッセージ等）を送信するために使用されてよい。さらに別の構成で、共用チャネルは、このチャネルが十分に信頼できるとみなされる場合に、シグナリング・メッセージをＵＥに送信するために使用されてよく、専用チャネルは、共用チャネルが十分に信頼できるものではないとみなされる場合に、シグナリング・メッセージをＵＥに送信するために使用されてよい。共用チャネルまたは専用チャネルは、その他の基準に基づいて選択されてもよい。
【００４９】
ＷＣＤＭＡのために、共用チャネルはＨＳ−ＤＳＣＨおよび／またはＨＳ−ＰＤＳＣＨを備えてもよく、専用チャネルはＤＣＨおよび／またはＤＰＤＣＨを備えてもよい。共用および専用チャネルはまた、その他のシステムの中でその他のチャネルを備えてもよい。ＷＣＤＭＡのために、シグナリング・メッセージはＲＲＣメッセージを備えてもよく、第２シグナリング・メッセージはＲＲＣ再設定メッセージを備えてもよい。シグナリング・メッセージはまた、層３メッセージおよび／またはその他の層（例えば層２等）のその他のメッセージを備えてもよい。
【００５０】
図６は、無線通信システムでシグナリング・メッセージを送信するためのプロセス６００の構成を示す。プロセル６００もまた、例えばＲＮＣおよび／またはノードＢ等、１つまたは複数のネットワーク主体によって実行されてよい。ＵＥは、例えばそれらのアクティブセットに基づいて、それらがハンドオーバ中であるかどうか等に基づいて、第１グループまたは第２グループの中に配置されてよい（ブロック６１２）。１つの構成で、単一のセルを有するアクティブセットを伴うＵＥは、第１グループの中に配置されてよく、複数のセルを有するアクティブセットを伴うＵＥは、第２グループの中に配置されてよい。別の構成で、ハンドオーバ中ではないＵＥは第１グループの中に配置されてよく、ハンドオーバ中のＵＥは第２グループの中に配置されてもよい。
【００５１】
シグナリング・メッセージは、共用チャネルでＵＥの第１グループに送信されてもよい（ブロック６１４）。シグナリング・メッセージは、共用チャネルで単一のノードＢを介して第１グループの中の各ＵＥに送信されてもよい。シグナリング・メッセージは、専用チャネルでＵＥの第２グループに送信されてもよい（ブロック６１６）。シグナリング・メッセージは、専用チャネルで複数のノードＢを介して第２グループの中の各ＵＥに送信されてもよい。トラヒックデータは、共用チャネルでＵＥの第１および第２グループに送信されてもよい（ブロック６１８）。図６に示されているように、シグナリング・メッセージは異なるチャネルで異なるＵＥに送信されてよいが、トラヒックデータは共用チャネルで２つのグループの中のすべてのＵＥに送信されてよい。
【００５２】
図７は、無線通信システムでシグナリング・メッセージを受信するためのプロセス７００の構成を示す。プロセス７００は、ＵＥによって実行されてよい。第１シグナリング・メッセージは、共用チャネルで第１期間にＵＥで受信されてよい（ブロック７１２）。第２シグナリング・メッセージは、専用チャネルで、第１期間の後に続く第２期間にＵＥで受信されてもよい（ブロック７１４）。第３シグナリング・メッセージは、共用チャネルで、第２期間の後に続く第３期間にＵＥで受信されてもよい（ブロック７１６）。トラヒックデータは、共用チャネルで第１、第２および第３期間にＵＥで受信されてもよい（ブロック７１８）。１つの構成で、第１シグナリング・メッセージは単一のノードＢを介して受信されてよく、第２シグナリング・メッセージは複数のノードＢを介して受信されてよく、第３シグナリング・メッセージは単一のノードＢを介して受信されてよく、トラヒックデータは単一のノードＢを介して受信されてよい。
【００５３】
１つの構成で、ＵＥは、第２期間にソースノードＢから目標ノードＢへのハンドオーバを実行してもよい。ＵＥはソースノードＢを介して第１シグナリング・メッセージを受信し、ソースおよび目標ノードＢを介して第２シグナリング・メッセージを受信し、目標ノードＢを介して第３シグナリング・メッセージを受信してもよい。ＵＥは第２シグナリング・メッセージを回復するために、ソースおよび目標ノードＢから受信されたダウンリンク送信を処理し、結合してもよい。
【００５４】
図８は、図１のＵＥ１１０、ノードＢ１２０および１２２、ならびにＲＮＣ１３０の構成のブロック図を示す。アップリンクで、符号器８１２は、アップリンクでＵＥ１１０によって送信されるべきトラヒックデータおよびシグナリング・メッセージを受信してもよい。符号器８１２は、トラヒックデータおよびシグナリング・メッセージを処理（例えばフォーマット化、符号化およびインタリーブ等）してもよい。変調器（Ｍｏｄ）８１４は、符号化されたトラヒックデータおよびシグナリング・メッセージをさらに処理（例えば変調、チャネル化およびスクランブル等）し、出力チップを与えてもよい。送信機（ＴＭＴＲ）８２２は、出力チップを調整（例えばアナログへの変換、フィルタリング、増幅および周波数アップコンバート等）して、アップリンク信号を生成してもよく、このアップリンク信号は、アンテナ８２４を介してノードＢ１２０および／またはノードＢ１２２へ送信されてもよい。
【００５５】
ダウンリンクで、アンテナ８２４は、ノードＢ１２０および／またはノードＢ１２２によって送信されたダウンリンク信号を受信してもよい。受信機（ＲＣＶＲ）８２６は、アンテナ８２４から受信された信号を調整（例えばフィルタリング、増幅、周波数ダウンコンバートおよびデジタル化等）して、サンプルを与えてもよい。復調器（Ｄｅｍｏｄ）８１６は、サンプルを調整（例えばデスクランブル、チャネル化および復調等）して、シンボル推定値を与えてもよい。復号器８１８は、シンボル推定値を処理（例えばデインタリーブおよび復号等）して、ＵＥ１１０に送信される復号されたデータおよびシグナリング・メッセージを与えてもよい。符号器８１２、変調器８１４、復調器８１６および復号器８１８は、モデムプロセッサ８１０によって実装されてもよい。これらの装置は、システムによって使用される無線技術（例えばＷＣＤＭＡ、ｃｄｍａ２０００等）によって処理を実行してもよい。コントローラ／プロセッサ８３０は、ＵＥ１１０での様々な装置のオペレーションを管理してもよい。コントローラ／プロセッサ８３０はまた、図７のプロセス７００および／または本明細書で説明されている技術のためのその他のプロセスを実行してもよい。メモリ８３２は、ＵＥ１１０のためのプログラム符号およびデータを記憶してもよい。
【００５６】
各ノードＢで、送信機／受信機８３８は、ＵＥ１１０およびその他のＵＥとの無線通信をサポートしてもよい。コントローラ／プロセッサ８４０は、ＵＥとの通信のための様々な機能を実行してもよい。アップリンクについて、ＵＥ１１０からのアップリンク信号は、受信機８３８によって受信されて調整され、ＵＥによって送信されたトラヒックデータおよびシグナリング・メッセージを回復するためにコントローラ／プロセッサ８４０によってさらに処理されてもよい。ダウンリンクについて、トラヒックデータおよびシグナリング・メッセージは、コントローラ／プロセッサ８４０によって処理され、ダウンリンク信号を生成するためにトランスミッタ８３８によって調整されてもよく、ダウンリンク信号はＵＥ１１０およびその他のＵＥに送信されてもよい。コントローラ／プロセッサ８４０はまた、図５のプロセス５００、図６のプロセス６００および／または本明細書で説明されている技術のためのその他のプロセスを管理するか、またはそれらに関与してもよい。メモリ８４２は、ノードＢのためのプログラム符号およびデータを記憶してもよい。通信（Ｃｏｍｍ）装置８４４は、ＲＮＣ１３０および／またはその他のネットワーク主体との通信をサポートしてもよい。
【００５７】
ＲＮＣ１３０で、コントローラ／プロセッサ８５０は、ＵＥのために通信サービスをサポートする様々な機能を実行してもよい。コントローラ／プロセッサ８５０は、図５のプロセス５００、図６のプロセス６００および／または本明細書で説明されている技術のためのその他のプロセスを管理するか、またはそれらに関与してもよい。メモリ８５２は、ＲＮＣ１３０のためのプログラム符号およびデータを記憶してもよい。通信装置８５４は、ノードＢおよびその他のネットワーク主体との通信をサポートしてもよい。
【００５８】
当業者であれば、情報および信号は任意の様々な異なる技法および技術を使用して表されてもよいということが理解されよう。例えば、上の説明全体を通して参照されてもよいデータ、命令、コマンド、情報、信号、ビット、シンボルおよびチップは電圧、電流、電磁波、磁場もしくは磁気粒子、光場もしくは光粒子、または任意のそれらの組み合わせによって表されてよい。
【００５９】
当業者であれば、本明細書で本開示とともに説明される様々な例示的な論理ブロック、モジュール、回路およびアルゴリズムのステップは、電子ハードウェア、コンピュータソフトウェアまたは両方の組み合わせとして実装されてもよいということが、さらに理解されよう。このハードウェアとソフトウェアとの互換性を明快に示すために、様々な例示的なコンポーネント、ブロック、モジュール、回路およびステップは、全般的にそれらの機能に関して上で説明されてきた。そのような機能がハードウェアとして実装されるのか、それともソフトウェアとして実装されるのかということは、特定のアプリケーション、およびシステム全体に課せられる構成上の制約によって決まる。当業者は、各々の特定アプリケーションのための異なる方法で説明された機能を実装してもよいが、そのような実装の決定は、本開示の範囲からの逸脱を生じさせるものとして解釈されるべきではない。
【００６０】
本明細書で本開示とともに説明されている様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）またはその他のプログラム可能な論理デバイス、独立ゲートもしくはトランジスタ論理回路、独立したハードウェアコンポーネント、または本明細書で説明されている機能を実行するように構成された任意のそれらの組み合わせとともに実装または実行されてもよい。汎用プロセッサはマイクロプロセッサであってもよいが、代替として、このプロセッサは任意の従来のプロセッサ、コントローラ、マイクロコントローラまたはステートマシンであってもよい。プロセッサはまた、例えばＤＳＰとマイクロプロセッサ、複数のマイクロプロセッサ、ＤＳＰコアと関連した１つまたは複数のマイクロプロセッサとの組み合わせ、または任意のその他の同様の設定等のコンピューティングデバイスの組み合わせとして実装されてもよい。
【００６１】
本明細書で本開示とともに説明される方法またはアルゴリズムのステップは、直接ハードウェアの中か、プロセッサによって実行可能なソフトウェアモジュールの中か、またはこの２つの組み合わせの中に組み入れられてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、または当技術分野で知られている任意のその他の形態の記憶媒体の中に存在してもよい。例示的な記憶媒体は、プロセッサがその記憶媒体から情報を読み出し、そこへ情報を書き込むことができるようにプロセッサに結合される。代替として、記憶媒体はプロセッサと一体化されていてもよい。プロセッサおよび記憶媒体は、ＡＳＩＣの中に存在してもよい。ＡＳＩＣは、ユーザ端末の中に存在してもよい。代替として、プロセッサおよび記憶媒体は、ユーザ端末の中の独立コンポーネントとして存在してもよい。
【００６２】
１つまたは複数の例示的な構成で、説明されている機能はハードウェア、ソフトウェア、ファームウェアまたは任意のそれらの組み合わせの中で実装されてもよい。ソフトウェアの中に実装される場合、この機能はコンピュータ可読媒体上の１つもしくは複数の命令または符号として記憶、または伝送されてもよい。コンピュータ可読媒体は、コンピュータプログラムを１つの場所から別の場所へ転送することを促進する任意の媒体を含めて、コンピュータ記憶媒体と通信媒体との両方を含む。記憶媒体は、汎用または特殊目的コンピュータによってアクセスされることが可能な任意の入手可能な媒体であってよい。限定されないが、例として、そのようなコンピュータ可読媒体はＲＡＭ、ＲＯＭ、ＥＥＰＲＯＭ、ＣＤ−ＲＯＭもしくはその他の光ディスク記憶装置、磁気ディスク記憶装置もしくはその他の磁気記憶デバイス、または命令もしくはデータの形態で所望のプログラム符号手段を運搬または記憶するために使用されることが可能であり、汎用もしくは特殊目的コンピュータ、または汎用もしくは特殊目的プロセッサによってアクセスされることが可能な任意のその他の媒体を備えることができる。また任意の接続も、適切にコンピュータ可読媒体と呼ばれる。例えば、ソフトウェアがウェブサイト、サーバまたはその他の遠隔のソースから同軸ケーブル、光ファイバケーブル、ツイストペア、デジタル加入者回線（ＤＳＬ）または赤外線、無線およびマイクロ波等の無線技法を使用して伝送される場合、同軸ケーブル、光ファイバケーブル、ツイストペア、ＤＳＬまたは赤外線、無線およびマイクロ波等の無線技法は、媒体の定義の中に含まれる。ディスクを通常磁気によってデータを再生するものとし、一方ディスクをレーザによって光でデータを再生するものとして、ディスク（Ｄｉｓｋ）およびディスク（ｄｉｓｋ）は本明細書で使用される際、コンパクトディスク（ＣＤ）、レーザディスク、光ディスク、デジタル多用途ディスク（ＤＶＤ）、フロッピー(登録商標）ディスク、ブルーレイ(登録商標）ディスクを含む。上述のものの組み合わせもまた、コンピュータ可読媒体の範囲内に含まれる。
【００６３】
上の本開示の説明は、任意の当業者が本開示を作成または使用することができるように示されている。本開示に対する様々な変更は、当業者には容易に明らかとなり、本明細書で定義される一般原理は、本開示の範囲から逸脱することなく、その他の変形形態に適用されてもよい。したがって本開示は、本明細書で説明されている実施例および構成に限定されるのではなく、本明細書で開示される原理および新たな機能と一致した最も広い範囲を与えられることを目的とする。
【図１】
2010539860.tif 000004
【図２】
2010539860.tif 000005
【図３】
2010539860.tif 000006
【図４】
2010539860.tif 000007
【図５】
2010539860.tif 000008
【図６】
2010539860.tif 000009
【図７】
2010539860.tif 000010
【図８】
2010539860.tif 000011
【国際調査報告】
2010539860.tif 000012
2010539860.tif 000013
2010539860.tif 000014